(57)【要約】【課題】  簡易で、かつ間仕切り面が嵩張らず、倒壊の危険性のない間仕切り１の提供を目的とする。【解決手段】  間仕切り用のフレームユニットは、居住空間の平面境界を定め、複数の杆材２，２，２，・・・により枠体状に形成され、末端部９が壁面８に所定高さ位置で支持され、シート３，３，３，・・・を吊るすシート吊下用枠体４と、壁面８または備品とシート吊下用枠体４とを繋いでシート吊下用枠体４を居住空間２１の上方位置で横置き姿勢に保持する繋留部材７とからなる。また、前記構成のフレームユニットと、該フレームユニットのシート吊下枠体４に吊るされて居住空間２１を仕切る間仕切り用のシート３，３，３，・・・とからなる間仕切りである。【選択図】      図１
2007063864.tif 000002
【特許請求の範囲】
【請求項１】
複数の杆材により枠体状に形成され、居住空間の平面境界を定めるシート吊下用枠体と、壁面の所定高さ位置に固設され、シート吊下用枠体の末端部を支持し、シート吊下用枠体を居住空間の上方位置で横置き姿勢に保持する支持部材とを備えて成る間仕切り用のフレームユニット。
【請求項２】
複数の杆材により枠体状に形成され、居住空間の平面境界を定め、末端部が壁面に所定高さ位置で支持されるシート吊下用枠体と、壁面または備品とシート吊下用枠体とを繋いでシート吊下用枠体を居住空間の上方位置で横置き姿勢に保持する繋留部材とから成る間仕切り用のフレームユニット。
【請求項３】
請求項１又は請求項２に記載のフレームユニットと、該フレームユニットのシート吊下用枠体に吊るされて居住空間を仕切る間仕切り用のシートとからなる間仕切り。
【請求項４】
間仕切り用のシートにシート吊下用枠体の杆材長手方向に沿うミシン目を形成したことを特徴とする請求項３に記載の間仕切り。
【発明の詳細な説明】
【技術分野】
【０００１】
本発明は、避難所等におけるプライバシー保護のための間仕切りに関するものである。
【背景技術】
【０００２】
一般に、大地震や大雨、津波など災害時の緊急避難所として学校の体育館等が利用され、避難してきた多くの人々は困難な生活を余儀なくされる。このような体育館等での共同生活においてはプライベートな空間の確保が困難であり、避難してきた人々の生活は常に人目に晒された状態で、これらの人々に疲労、ストレス、不安等が蓄積される場合が多い。従来、このような状況において避難してきた人々のプライバシーを保護するため、実際に、ダンボール紙や木製合板などを用いた間仕切りが一部で使用されていた。また、文献開示の技術として、発泡樹脂製のパネルを組み立てた間仕切り（特許文献１参照）や、シートの端部にステンレスパイプを取り付け自立式とした間仕切り（特許文献２参照）等がある。
【０００３】
【特許文献１】特開平９−２２８６６７号公報
【０００４】
【特許文献２】特開平９−０８４６６４号公報
【発明の開示】
【発明が解決しようとする課題】
【０００５】
しかしながら、ダンボール紙等を用いた間仕切りはダンボール紙自体の強度や耐久性が低く、長期間の備蓄や使用に耐えず、また、木製合板等を用いた間仕切りは比較的重量があり、立設させた木製合板が倒壊する危険性があり、いずれの方法も問題があった。更に、文献開示の技術はともに床置きタイプの間仕切りであるために、間仕切り板を立設させるための構造が必要であり、このような構造は通常相当なスペースを必要とするため居住空間が狭まってしまう。また、例えば間仕切り板や柱等を足で不用意に蹴った場合には間仕切り板等が倒れることがあり、複数の居住空間を仕切る間仕切り板等を連結していた場合には全構造体が倒壊するといった危険性があった。
【０００６】
本発明は、上記した従来の問題点に鑑みてなされたものであって、簡易な構造で、かつ間仕切り面が嵩張らず、倒壊の危険性のない間仕切りの提供を目的とする。
【課題を解決するための手段】
【０００７】
上記目的を達成するために、本発明に係る間仕切り用のフレームユニットは、複数の杆材により枠体状に形成され、居住空間の平面境界を定めるシート吊下用枠体と、壁面の所定高さ位置に固設され、シート吊下用枠体の末端部を支持し、シート吊下用枠体を居住空間の上方位置で横置き姿勢に保持する支持部材とを備えてなる構成にしてある。
【０００８】
また、複数の杆材により枠体状に形成され、居住空間の平面境界を定め、末端部が壁面に所定高さ位置で支持されるシート吊下用枠体と、壁面または備品とシート吊下用枠体とを繋いでシート吊下用枠体を居住空間の上方位置で横置き姿勢に保持する繋留部材とからなる構成にしてある。
【０００９】
また、前記構成のフレームユニットと、該フレームユニットのシート吊下用枠体に吊るされて居住空間を仕切る間仕切り用のシートとからなる間仕切りである。
【００１０】
また、前記構成において、間仕切り用のシートにシート吊下用枠体の杆材長手方向に沿うミシン目を形成したものである。
【発明の効果】
【００１１】
本発明の間仕切りによれば、シート吊下用枠体の末端部が壁面に所定高さ位置で支持されて、シート吊下用枠体が居住空間の平面境界を定め、間仕切り用のシートを吊るすので、避難所に設置するに際して、間仕切り板等やその間仕切り板等を床に立設させるための構造等が不要であって居住空間を広くすることができる。
【００１２】
また、繋留部材によってシート吊下用枠体が壁面または備品と繋がれて居住空間の上方位置で横置き姿勢に保持させる場合には、シート吊下用枠体の下方からの引張応力に対する強度を上げることができ、体育館等の非常に天井の高い施設であっても天井からシート吊下用枠体を吊り下げることが不要であるため、間仕切りの設置が容易である。
【００１３】
また、間仕切り用のシートにシート吊下用枠体の杆材長手方向に沿うミシン目を形成した場合には、間仕切りシートが所定の引き下げ力を受けたときにミシン目の位置で上下に破断するので、所定の引き下げ力によりシート吊下用枠体が曲がったり、繋留部材が切れたりすることがなく、破断したシートを他のシートと交換する等するだけで容易に間仕切りの修復ができる。
【発明を実施するための最良の形態】
【００１４】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態にかかる間仕切りの斜視図、図２は本発明の一実施形態にかかる間仕切りの避難所での配置図、図３は本発明の一実施形態にかかる間仕切りの部分拡大図、図４は本発明の一実施形態に係る間仕切りの支持具の拡大図である。
各図において、本実施形態に係る間仕切り１は、シート吊下用枠体４、シート吊下用枠体４に吊るされたシート３，３，３，・・・、及びシート吊下用枠体４を保持する繋留部材７，７，７，７からなる。
【００１５】
図１に示すように、シート吊下用枠体４は例えばアルミ製のパイプが所定長さにカットされた複数の杆材２，２，２，・・・が枠体状に形成されている。即ち、シート吊下用枠体４は、杆材２ｇと杆材２ａ、杆材２ｂと杆材２ｃ、杆材２ｃと杆材２ｄ、杆材２ｅと杆材２ｈがＬ字ジョイント１４ｂ，１４ｂ，１４ｂ，１４ｂにより各々連結され、且つ、杆材２ａと杆材２ｂと杆材２ｆ、及び、杆材２ｄと杆材２ｅと杆材２ｆがＴ字ジョイント１４ａ，１４ａにより各々結合されている。これらの杆材２ａ，２ｂ，２ｃ，２ｄ，２ｅにより、平面視略コの字状の縦２．５ｍ、横３．６ｍの平面境界が定められ、且つ、杆材２ｆによりかかる平面境界の長手方向中央部で長手方向を二等分した形状の居住空間の平面境界が定められる。このようにして、二区画の居住空間２１ａ，２１ｂが仕切られて一組となる。
【００１６】
シート吊下用枠体４の末端部９である杆材２ｇ、杆材２ｈは、床からの高さが１．８ｍである避難所１３の壁面８で支持具６，６を介して支持される。支持具６は、避難所１３に指定されている体育館等の壁面８に災害発生前に予め取り付けられるもので、例えば図４に示すような杆材２ｇ（２ｈ）を嵌合する杆材挿入部１６と、支持具６を壁面８に螺止するための螺止部１７とよりなる。
【００１７】
そして、図３に示すように、シート吊下用枠体４には不透明のシート３が吊るされる。即ち、シート吊下用枠体４を形成する杆材２にリング１２,１２，・・・が通され、かかるリング１２，１２，・・・にＳ字状フック１５，１５，・・・が掛止される。他方、間仕切り用の不透明のシート３の上縁に沿って複数の小孔１８，１８，・・・が形成され、かかる小孔１８，１８，・・・がＳ字フック１５，１５，・・・の下端に掛止されることにより、シート３がシート吊下用枠体４に吊るされる。シート３，３，３，３，・・・はシート吊下用枠体４に吊るされた状態で下縁が床にちょうど着く長さである。
【００１８】
また、間仕切り１用のシート３は、小孔１８，１８，・・・の直下に、ミシン目１９がシート吊下用枠体４の杆材２の長手方向に沿って、形成されている。
【００１９】
シート吊下用枠体４は下向きの引張応力に対する強度を高めるため上方位置の壁面８より繋留部材７で保持される。即ち、シート吊下用枠体４の先端部１１と中間部が、シート吊下用枠体４の末端部９が支持された位置より高い位置の壁面８と繋留部材７を介して繋がれることにより、シート吊下用枠体４が居住空間２１の上方位置で水平の横置き姿勢に保持されている。避難所１３の壁面８には、例えば床から３．６ｍの高さの位置に、予め例えばＬ字フックのような繋留部材固定具２０，２０が螺止され、かかる各繋留部材固定具２０，２０に二本の例えばピアノ線等の繋留部材７，７の上端が繋留されている。
【００２０】
図１に示した間仕切り１は居住空間２１ａ，２１ｂの二区画分を一組としたものであるが、この間仕切り１の避難所１３での配列方法を図２に示す。図２において、複数の間仕切り１，１，１，・・・が避難所１３の壁面８に沿って、並設され、隣の間仕切り１との間に幅４０ｃｍ程度の通路２３を設けて配列される。
【００２１】
間仕切り１の使用方法につき、以下に説明する。
間仕切り１の壁面８側の居住空間２１ａに居る者は側面のシート３ａ，シート３ｅを捲るか、杆材２ａ，杆材２ｅに沿ってスライドさせることで、間仕切り１から出入りをする。避難所１３の中央側の居住空間２１ｂに居る者は壁面８側との境界を仕切るシート３ｆ以外の三方のどの面からも出入りが可能である。
間仕切り１の避難所１３での配列方法は、避難所１３の壁面８に沿って、隣の間仕切り１との間に通路２３として４０ｃｍ程度の通路２３を設けて並列されているので、壁面８側の居住空間２１ａに居る者も容易に出入りできる。
【００２２】
この間仕切り１によれば、避難所１３内に間仕切り１を設置するに際して、居住空間２１の上方の空間を有効利用して設置されたシート吊下用枠体４に間仕切り１用のシート３，３，３，・・・を吊るして使用するので、間仕切り板等や当該間仕切り板等を立設させるための柱等が不要であり、居住空間２１を広くとることができる。従って、間仕切り１により避難した人々の生活が人目に晒されないようにし、避難した人々のプライバシーを守ることができることはもとより、例えば、間仕切り板を足で蹴った場合に間仕切り板が倒れて危険であるといったこともない。また、シート吊下用枠体４は末端部９が壁面８に支持されるとともにシート吊下用枠体４の中間部及び先端部１１が壁面８の上方位置より傾斜した繋留部材７，７，７，７を介して繋留支持されるので、シート吊下用枠体４の下向きの引張応力に対する強度を上げることができる。また、体育館等の非常に天井の高い施設であっても天井からシート吊下用枠体を吊り下げるといったことなく間仕切りの設置が可能となる。
【００２３】
また、シート吊下用枠体４に床まで届く長さの不透明のシート３，３，３，・・・が吊るされることにより、シート吊下用枠体４の下方の空間は完全に不透明のシート３，３，３，・・・によって間仕切られ、シート３，３，３，・・・内部の様子はシートの外側からは分からない。また、間仕切り用のシート３は軽量であり、足で蹴るといった外的負荷に対しても容易に変形し負荷を除けば瞬時に元の形状に復元し、倒れたりすることがない。従って、柱のある間仕切りの場合のように、間仕切り板や柱等を足で蹴る等した場合に全構造体が倒壊等するといった危険性もない。
また、シート吊下用枠体４は分解して収納できるので備蓄の際も嵩張らず、簡易な構造であるので災害発生時容易に組立設置できる。
【００２４】
また、間仕切り１用のシート３にシート吊下用枠体４の杆材２長手方向に沿うミシン目１９を形成しているので、間仕切り１のシート３に例えば子供がぶら下がったりして引き下げ力を受けたときにはミシン目１９の位置で上下に破断する。従って、このような所定の引き下げ力によりシート吊下用枠体４が曲がったり、折れたり、繋留部材７が切れたりするといったことがなく、破断したシート３を他のシート３に交換する等すれば、容易に間仕切り１の修復ができる。
【００２５】
尚、上記の実施形態では、二区画で一組の間仕切り１とし、当該一組の間仕切り１のサイズが壁面８と不透明のシート３，３，３、・・・で囲まれた縦２．５ｍ横３．６ｍ高さ１．８ｍのものを例示したが、本発明は、このようなサイズに限定されず、人が間仕切り１内の居住空間２１で寝起きでき、且つシート吊下用枠体４を壁面８に設置可能なサイズであればよく、また、二区画ではなく一区画あるいは三区画等を一組としてもよい。
【００２６】
また、一組の間仕切り１の避難所１３での配列方法は、図２に示すものに限定されず、例えば、図５に示す配列方法であってもよい。即ち、図５に示す配列方法では、二区画を一組とし、例えば一組の間仕切り１ｂが壁面８に沿って両隣の間仕切り１ａ及び間仕切り１ｃとの間に通路が設けられておらず、各居住空間２１ａ，２１ａ，２１ａ及び居住空間２１ｂ，２１ｂ，２１ｂは側面のシート３を介して隣り合わされている。従って、壁面８側に居る者は居住空間２１ａの側面から出られない。そこで、図６に示すように居住空間２１ａと壁面８との間に例えば幅４０ｃｍ程度の通路２３ａを設け、壁面８側の居住空間２１ａの居住者が出入りできるようにしている。この場合、通路２３ａ側のシート吊下用枠体４には通路２３ａと居住空間２１ａを仕切るため、杆材２ｋがＴ字ジョイント１４ａ，１４ａを介して杆材２ａと杆材２ｉ、及び、杆材２ｅと杆材２ｊと結合され、杆材２ｋにシート３ｇが吊るされている。ここで、図６では、図１に示す実施例と比較し易いように独立した間仕切り１を示したが、当然ながら、複数の間仕切り１，１，１，・・・が相互一体に隣接され、図中のＴ字ジョイント１４ａは十字ジョイントに、シート吊下用枠体４の先端部１１のＬ字ジョイント１４ｂはＴ字ジョイントに変更して使用される。
【００２７】
また、上記の各実施形態では、杆材２をアルミパイプにより構成したが、これに限定されず、他の金属や合成樹脂、木製等のパイプや棒材であってもよく、また、ポリカーボネートなど高強度合成樹脂のエンジニアリングプラスチックで杆材２とジョイント１４が一体成型されたものでもよい。また、繋留部材７は壁面８にネジ止めされたＬ字フックに繋留される態様に限定されず、体育館等の二階部分に設置された踊り場の手すり等といった備品に留めつけてよいし、図７に示すような壁面８に設置した杆材２のトラス構造の繋留部材固定具２０ａの頂部２４に留めつけてもよく、図８に示すように先端部１１からは繋留部材固定具２０ａの頂部２４に、中間部のジョイント１４ａ，１４ａからは壁面８に、それぞれ留めつけてもよい。
【００２８】
また、繋留部材７はピアノ線に限定されず強度の高い針金や紐、綱、鎖などであってもよい。また、不透明のシート３は布製や合成樹脂製のもの等が利用でき、市販のカーテンをそのまま利用してもよい。また、シート吊下用枠体４はカーテンレールを利用してもよい。また、シート吊用枠体４への不透明のシート３の取り付け方法は、リング１２,１２，・・・及びＳ字状フック１５，１５，・・・を介したものに限定されず、シート吊下用枠体４の杆材２にシート３の上縁を一巻きしクリップなどで固定するといった方法でもよい。
【００２９】
また、支持具６は図４に示したものに限定されず、シート吊下用枠体４を壁面８に支持できれば、例えば、図９に示すような構造の支持具６ａであってもよい。即ち、Ｔ字ジョイント１４ｃが螺止金具２５により壁面８に固定され、該Ｔ字ジョイント１４ｃの杆材挿入部１６ａに杆材２ａ及び杆材２ｅが各々挿入され、杆材固定具２６により杆材２ａ，杆材２ｅがＴ字ジョイントに固定されるものであってもよい。
【００３０】
また、図１０に示すように、シート吊下用枠体４の末端部９ａを略Ｌ字状の支持部材２７を介して壁面８に支持することにより、シート吊下用枠体４を居住空間２１の上方位置で横置き姿勢に保持し、且つ下向きの引張応力に対する強度を維持するようにした構造も本発明に含まれる。即ち、例えば床面からの高さが１．８ｍの位置で略Ｌ字状の支持部材２７が支持具６ａにより壁面８に固定され、かかる支持部材２７の杆材挿入部１６ｂに、シート吊下用枠体４の末端部９ａである杆材２ａ、杆材２ｅが挿入され、杆材固定具２６ａにより支持部材２７に固定されるものである。かかる構造によれば。上記実施形態のような壁面８または備品とシート吊下用枠体４とを繋ぐ繋留部材７を省くことができる。
【図面の簡単な説明】
【００３１】
【図１】本発明の一実施形態に係る間仕切りの斜視図である。
【図２】本発明の一実施形態にかかる間仕切りの避難所での配置図である。
【図３】本発明の一実施形態にかかる間仕切りの部分拡大図である。
【図４】本発明の一実施形態に係る間仕切りの支持具の拡大図である。
【図５】本発明の他の実施形態にかかる間仕切りの避難所での配置図である。
【図６】本発明の他の実施形態にかかる間仕切りの斜視図である。
【図７】本発明の別の実施形態にかかる間仕切りの斜視図である。
【図８】本発明の更に他の実施形態にかかる間仕切りの斜視図である。
【図９】本発明の更に別の実施形態にかかる間仕切りの部分拡大図である。
【図１０】本発明のその他の実施形態にかかる間仕切りの部分拡大図である。
【符号の説明】
【００３２】
１  間仕切り
２，２ａ，２ｂ，２ｃ，２ｄ，２ｅ，２ｆ，２ｇ，２ｈ，２ｉ，２ｊ，２ｋ  杆材
３，３ａ，３ｂ，３ｃ，３ｄ，３ｅ，３ｆ，３ｇ  シート
４  シート吊下用枠体
７  繋留部材
８  壁面
９  末端部
１１  先端部
１９  ミシン目
２１，２１ａ，２１ｂ  居住空間
２７  支持部材
【図１】
2007063864.tif 000003
【図２】
2007063864.tif 000004
【図３】
2007063864.tif 000005
【図４】
2007063864.tif 000006
【図５】
2007063864.tif 000007
【図６】
2007063864.tif 000008
【図７】
2007063864.tif 000009
【図８】
2007063864.tif 000010
【図９】
2007063864.tif 000011
【図１０】
2007063864.tif 000012